(57)【要約】      （修正有）【課題】使用者に応じて刃物を模した移動体をスライド困難部で動かすために必要な力を調整することが可能な刃物取り扱い体感装置を提供すること。【解決手段】筐体と、筐体の内部に保持された通路体２０と、通路体２０に位置合わせされた状態で筐体の表面に配設されたスリット体と、通路体２０およびスリット体に沿ってスライド移動可能に配設された移動体３０と、筐体に取り付けられ、通路体２０の中途部分に移動体３０のスライド移動を困難にするスライド困難部２６を形成すると共に、スライド困難部２６における移動体３０のスライド困難度が調整可能なスライド困難部形成体４０と、を有することを特徴とする刃物取り扱い体感装置である。【選択図】図４
0003214360.tif 000002
【実用新案登録請求の範囲】
【請求項１】
筐体と、
前記筐体の内部に保持された通路体と、
前記通路体に位置合わせされた状態で前記筐体の表面に配設されたスリット体と、
前記通路体および前記スリット体に沿ってスライド移動可能に配設された移動体と、
前記筐体に取り付けられ、前記通路体の中途部分に前記移動体のスライド移動を困難にするスライド困難部を形成すると共に、前記スライド困難部における前記移動体のスライド困難度が調整可能なスライド困難部形成体と、を有することを特徴とする刃物取り扱い体感装置。
【請求項２】
前記筐体の内部には前記通路体と平行に配設され、前記移動体のスライド移動をガイドするガイド体をさらに有していることを特徴とする請求項１記載の刃物取り扱い体感装置。
【請求項３】
前記スライド困難部形成体は、前記通路体の外側から前記通路体に当接する当接部と、前記当接部に連結され、前記通路体に接離動する押圧ロッドと、を有していることを特徴とする請求項１または２記載の刃物取り扱い体感装置。
【請求項４】
前記スライド困難部形成体は、前記通路体に沿って前記移動体が移動する方向における同一位置において、前記通路体を挟み込むようにして配設されていることを特徴とする請求項１〜３のうちのいずれか一項に記載の刃物取り扱い体感装置。
【請求項５】
前記通路体は、２枚の平行な板材により形成されていて、前記移動体の筐体内部側端部は前記２枚の平行な板材の間に挿通されていることを特徴とする請求項１〜３のうちのいずれか一項に記載の刃物取り扱い体感装置。
【請求項６】
前記２枚の平行な板材の対向面にはウレタンが配設されていることを特徴とする請求項５記載の刃物取り扱い体感装置。
【請求項７】
前記スライド困難部形成体はトグルクランプであることを特徴とする請求項１〜６のうちのいずれか一項に記載の刃物取り扱い体感装置。
【請求項８】
前記移動体が疑似刃体に形成されていることを特徴とする請求項１〜７のうちのいずれか一項に記載の刃物取り扱い体感装置。
【考案の詳細な説明】
【技術分野】
【０００１】
本考案は刃物取り扱い体感装置に関する。
【背景技術】
【０００２】
カッター等の刃物を取り扱いする際においては、取り扱い方法を誤ると事故につながるおそれがある。このような刃物の取り扱い時における事故については、講師等によって予め使用者に説明が行われていることが多い。しかしながら、使用者はそのような事故を当事者問題としてとらえることが難しい。そこで、使用者の安全を確保した状態で刃物の取り扱い上の事故を使用者に体感させることにより、使用者の刃物の取り扱い方法に対する安全意識を高めることができる。このような体感装置としては、非特許文献１に開示されているようなものが公知である。
【先行技術文献】
【非特許文献】
【０００３】
【非特許文献１】アジアクリエイト株式会社、“カッターすかされ安全体感装置｜アジアクリエイト株式会社”、［online］、アジアクリエイト株式会社、［平成２９年１０月２４日検索］、インターネット〈URL：http://asia-create.jp/products/post-883〉
【考案の概要】
【考案が解決しようとする課題】
【０００４】
非特許文献１に開示されているカッターすかされ安全体感装置は、刃物としてのカッターの使用方法や危険性を学ぶための装置であり、具体的にはカッターの進行方向に手や指等があった状態において誤ってカッターを滑らせてしまうと、怪我をしてしまう危険性を使用者の安全を確保した状態で体感することができるものである。より詳細には、使用者がカッターをスライド移動させる際に、スライド移動させにくいスライド困難部を設け、スライド困難部をカッターが通過すると、勢い余ってカッターが意図しない部分にまでスライド移動してしまう構成が採用されている。このような装置においては、スライド困難部にカッターを通過させる際に必要な力を調整するための構成を配設することが好ましい。しかしながら、非特許文献１にはスライド困難部の調整機構について構造の開示がなされていないのはもちろんであるが、スライド困難部の調整機構の有無すら開示されていない。
【課題を解決するための手段】
【０００５】
そこで本考案は、使用者に応じて刃物を模した移動体をスライド困難部でスライド移動させるために必要な力を調整することが可能な刃物取り扱い体感装置の提供を目的としている。
【０００６】
上記課題を解決するために本考案者は鋭意研究を行った結果、以下の構成に想到した。すなわち、筐体と、前記筐体の内部に保持された通路体と、前記通路体に位置合わせされた状態で前記筐体の表面に配設されたスリット体と、前記通路体および前記スリット体に沿ってスライド移動可能に配設された移動体と、前記筐体に取り付けられ、前記通路体の中途部分に前記移動体のスライド移動を困難にするスライド困難部を形成すると共に、前記スライド困難部における前記移動体のスライド困難度が調整可能なスライド困難部形成体と、を有することを特徴とする刃物取り扱い体感装置である。
【０００７】
これにより、使用者に応じてスライド困難部に刃物を模した移動体をスライド移動させるために必要な力を調整することができる刃物取り扱い体感装置の提供が可能になる。
【０００８】
また、前記筐体の内部には前記通路体と平行に配設され、前記移動体のスライド移動をガイドするガイド体をさらに有していることが好ましい。
【０００９】
これにより、通路体およびスリット体における移動体のスライド移動がスムーズになり、刃物取り扱い体感装置の操作性を向上させることができる。
【００１０】
また、前記スライド困難部形成体は、前記通路体の外側から前記通路体に当接する当接部と、前記当接部に連結され、前記通路体に接離動する押圧ロッドと、を有していることが好ましい。
【００１１】
また、前記スライド困難部形成体は、前記通路体に沿って前記移動体が移動する方向における同一位置において、前記通路体を挟み込むようにして配設されていることが好ましい。
【００１２】
これらにより、スライド困難部形成体によるスライド困難部の形成が容易になると共に、スライド困難部に移動体を通過させる際に必要な力の調整を容易に行うことができる。
【００１３】
また、前記通路体は、２枚の平行な板材により形成されていて、前記移動体の前記筐体内部側端部は前記２枚の平行な板材の間に挿通されていることが好ましい。
【００１４】
これにより通路体および移動体の構成を簡易化することができる。
【００１５】
また、前記２枚の平行な板材の対向面にはウレタンが配設されていることが好ましい。
【００１６】
これにより、通路体である２枚の平行な板材と移動体との摩擦抵抗が増大し、スライド困難部における移動体のスライド困難度を高めることができる。
【００１７】
また、前記スライド困難部形成体はトグルクランプであることが好ましい。
【００１８】
これにより、通路体におけるスライド困難部を簡易な操作で形成することができ、刃物取り扱い体感装置の操作性が向上する。
【００１９】
また、前記移動体が疑似刃体に形成されていることが好ましい。
【００２０】
これにより、リアリティのある刃物取り扱い体感装置にすることができる。
【考案の効果】
【００２１】
上記構成を採用することにより、使用者の力に応じて刃物を模した移動体をスライド困難部に通過させるために必要な力が調整可能な刃物取り扱い体感装置の提供ができる。
【図面の簡単な説明】
【００２２】
【図１】本実施形態における刃物取り扱い体感装置の斜視図である。
【図２】本実施形態における刃物取り扱い体感装置の斜視図である。
【図３】本実施形態における刃物取り扱い体感装置の内部構造を示す斜視図である。
【図４】通路体にスライド困難部を形成した状態を示す斜視図である。
【図５】スライド困難部に移動体を通過させている状態を示す斜視図である。
【図６】スライド困難部を移動体で通過させた状態を示す斜視図である。
【考案を実施するための形態】
【００２３】
以下、本考案における刃物取り扱い体感装置の実施形態について図面に基づいて具体的に説明する。図１〜図３に示すように、本実施形態における刃物取り扱い体感装置１００は、筐体１０と、筐体１０の内部に保持された通路体２０と、筐体１０の上面から突出させた状態で配設され、筐体１０の上面においてスリット体１８Ａ（および通路体２０）に沿ってスライド移動可能に配設された移動体３０と、通路体２０の中途部分に移動体３０のスライド移動を困難にするスライド困難部２６を形成するスライド困難部形成体４０とを有している。
【００２４】
筐体１０は、底部に車輪１２とストッパ１４が取り付けられたフレーム体１６と、フレーム体１６の上側部分を被覆する被覆板１８を有している。このように筐体１０は車輪１２により任意の位置に運搬して設置した後、ストッパ１４により設置位置を固定して用いることができる。筐体１０の上面における被覆板１８には、筐体１０の内部に保持されている通路体２０の配設位置に位置合わせして（通路体２０の直上位置に）形成されたスリット体１８Ａが配設されている。
【００２５】
また、被覆板１８により被覆されている筐体１０の側周面のうち一方の対向する側周面にはスライド困難部形成体４０の一部を構成する押圧ロッド４２がそれぞれ貫通配設されている。筐体１０の外側に突出している側の押圧ロッド４２の先端には押圧ロッド４２を通路体２０の延長方向における中途部分の外側面（側面）に接離動させるためのハンドル４４が配設されている。
【００２６】
本実施形態における通路体２０は、図３に示すように、２枚の平行な板材２２，２２とスペーサ２４により形成されている。２枚の平行な板材２２，２２は、それぞれの板材２２，２２の長手方向における両端部に配設され、筐体１０の側周面である被覆板１８の内側面に固定されたスペーサ２４を介して筐体１０に保持されている。２枚の平行な板材２２，２２は対向面にウレタンが配設（塗布）されていて、スペーサ２４を挟持した状態でスペーサ２４に一体に取り付けられている。このように通路体２０は、２枚の平行な板材２２，２２が筐体１０の側周面のうち一方の対向する側周面である被覆板１８の内側面同士に掛け渡すようにして筐体１０の内部に保持されているのである。
【００２７】
また、本実施形態においては、通路体２０の上側位置に通路体２０の長手方向に平行なガイド体としての上側ガイド体５０が配設されていて、通路体２０の下側位置に通路体２０の長手方向に平行なガイド体としての下側ガイド体５２が配設されている。ここでは、上側ガイド体５０と下側ガイド体５２としてリップ溝形鋼の加工品を採用した。上側ガイド体５０と下側ガイド体５２はそれぞれ、リップ溝形鋼における一方のリップを除去したものが用いられている。
【００２８】
上側ガイド体５０はリップ溝形鋼の加工品においてリップを除去した部分を下側にして、開口部を筐体１０の側面(横方向)に向けた状態で配設されている。下側ガイド体５２はリップ溝形鋼の加工品においてリップを除去した部分を上側にして、開口部を筐体１０の側面(横方向)に向けた状態で配設されている。これらの上側ガイド体５０と下側ガイド体５２はいずれも移動体３０のスライド移動をガイドするためのものである。なお、上側ガイド体５０と下側ガイド体５２の具体例は、以上に説明したリップ溝形鋼の加工品に限定されるものではない。
【００２９】
本実施形態における移動体３０は、カッターナイフを模した形態（疑似刃体）に形成され、筐体１０の上面のスリット体１８Ａから突出する保持部３２と、保持部３２に取り付けられ、筐体１０の内部に収容されるスライド体３４とを有している。このように疑似刃体に形成された移動体３０を採用することで、刃物取り扱い体感装置１００のリアリティを高めている。移動体３０のスライド体３４は板状体に形成されていて、通路体２０の２枚の平行な板材２２，２２の間にスライド体３４を挿通させた状態で配設され、スライド体３４の筐体内部側端部（図中における下側端部）は２枚の平行な板材２２，２２の下側から突出した状態になっている。
【００３０】
またスライド体３４には、上側ガイド体５０と下側ガイド体５２の開口部の位置から上側ガイド体５０と下側ガイド体５２の内部に進入し、上側ガイド体５０と下側ガイド体５２の内表面上を転動するベアリングＢがねじ３８，３６により取り付けられている。上側ガイド体５０および下側ガイド体５２とベアリングＢにより、通路体２０およびスリット体１８Ａに沿って移動体３０をスムーズにスライド移動させることができる。
【００３１】
また、上側ガイド体５０および下側ガイド体５２であるリップ溝形鋼の加工品において筐体１０の側面に向けた開口部からベアリングＢを進入させていると共にスライド体３４に取り付けたねじ３８，３６により移動体３０が筐体１０（通路体２０）から抜け止めされた状態にもなっている。これにより、使用者が移動体３０を誤って筐体１０の上面から引き抜くような操作をしても、移動体３０が筐体１０から抜けてしまうことがない点においても好都合である。
【００３２】
筐体１０の側周面のうち一方の対向する側周面である被覆板１８の内側面同士に掛け渡すように配設した通路体２０に対して水平面内で直交する方向にはスライド困難部形成体４０が配設されている。本実施形態におけるスライド困難部形成体４０は、押圧ロッド４２と、押圧ロッド４２の筐体１０の外側端部に取り付けられ、２枚の平行な板材２２，２２の外側側面から２枚の平行な板材２２，２２に対して押圧ロッド４２を接離動させることが可能なハンドル４４と、押圧ロッド４２の筐体１０の内側端部に連結され、２枚の平行な板材２２，２２に外側から当接する当接部４６とを有している。
【００３３】
使用者や講師がハンドル４４の操作により押圧ロッド４２を２枚の平行な板材２２，２２に接離動させ、押圧ロッド４２の先端に連結した当接部４６で２枚の平行な板材２２，２２を押圧する。これにより図４に示すように２枚の平行な板材２２，２２の延長方向における中途部分を弾性変形させて互いの離間距離を狭くしたスライド困難部２６を形成することができる。このような押圧ロッド４２とハンドル４４と当接部４６としては、トグルクランプを好適に用いることができる。このようなトグルクランプを用いることで、通路体２０へのスライド移動困難部２６の形成が容易になる。また、筐体１０の外部からトグルクランプの状態を視認すれば、通路体２０へのスライド困難部２６の形成の有無を確認することができるため好都合である。
【００３４】
また、２枚の平行な板材２２，２２の対向面に塗布または取り付けたウレタンにより、当接部４６による当接位置にスライド体３４が位置している状態で２枚の平行な板材２２，２２を押圧した場合であっても、スライド体３４のスライド困難部２６での挟み込みを防止すると共に、スライド困難部２６におけるスライド体３４の移動困難度の調整を容易にすることができる。また、２枚の平行な板材２２，２２に塗布したウレタンは、２枚の平行な板材２２，２２の間にスライド体３４をスライドさせることによる２枚の平行な板材２２，２２およびスライド体３４の摩耗や摩擦時における雑音の発生も防止している。
【００３５】
トグルクランプにおける押圧ロッド４２および当接部４６の初期位置の調整を行うことにより、スライド困難部２６を形成する際において、２枚の平行な板材２２，２２の延長方向における中途部分に互いの離間距離の縮小度を変更させることができる。これによりスライド困難部２６における移動体３０のスライド困難度が調整可能であるため、使用者の体力に応じたスライド困難度を提供することができる。
【００３６】
本実施形態におけるスライド困難部形成体４０は、通路体２０（およびスリット体１８Ａ）に沿って移動体３０がスライド移動する方向における同一位置において、通路体２０の外側から通路体２０を挟み込むようにして配設されている。このように通路体２０の延長方向における特定位置において２枚の平行な板材２２，２２の離間距離を縮小させるスライド困難部形成体４０の構成を採用することで、２枚の平行な板材２２，２２の離間距離を縮小させる操作を容易に行うことができる。
【００３７】
スライド困難部形成体４０により通路体２０の一部に移動体３０をスライド移動させる際において移動体３０のスライド移動を困難にするスライド困難部２６を作成した後、またはその前に、筐体１０の上面を被覆板１８で被覆した状態にする。筐体１０の上面を被覆板１８で被覆するタイミングは、移動体３０の保持部３２とスライド体３４との連結と、通路体２０へのスライド体３４の挿入が適宜行えることができればよく、特に制限されるものではない。
【００３８】
使用者が筐体１０の上面のスリット体１８Ａから突出する移動体３０の保持部３２を保持して、筐体１０の上面をスリット体１８Ａに沿って引き寄せると、図５に示すようにスライド体３４がスライド困難部２６に進入して移動体３０の引き寄せが困難になる。そして使用者がさらに力を入れて移動体３０を引き寄せようとすると、スライド体３４がスライド困難部２６を通過し、勢い余って移動体３０が筐体１０のスリット体１８Ａの手前側端部に衝突する（図６参照）ことになり、使用者は刃物の取り扱い時に起きる事故を自身の安全を確保した状態で体験することができる。
【００３９】
このとき、図１および図２に示すようにスリット体１８Ａの手前側端部に手が写っている写真等を載置しておけば、写真が切断され、使用者に事故の危険度を一層深刻にとらえさせることもできる。筐体１０のスリット体１８Ａの手前側端部に相当する部分（スライド体３４が衝突する部分）には、移動体３０（スライド体３４）の衝突ショックを軽減させるための緩衝材（図示せず）を配設することも可能である。
【００４０】
以上に、本考案における刃物取り扱い体感装置１００の実施形態について説明をしたが、本考案の技術的範囲は、以上の実施形態に限定されるものではなく、考案の要旨を変更しない範囲において各種の変更を施した構成であっても本考案の技術的範囲に属する。例えば、以上に説明した実施形態における刃物取り扱い体感装置１００は、筐体１０の上面に移動体３０を突出させた形態について説明しているが、移動体３０を側面から突出させた形態を採用することもできる。
【００４１】
また、以上の実施形態においては、上側ガイド体５０と下側ガイド体５２とを溝形鋼としているが、スライド体３４に取り付けたべアリングＢが転動可能な形状に形成された板金部材を採用することができる。このような板金部材を採用することにより、刃物取り扱い体感装置１００を軽量化することができる点において好都合である。また、上側ガイド体５０と下側ガイド体５２の少なくとも一方と通路体２０とを一体化した板金部材を採用することも可能である。
【００４２】
また、以上の実施形態においては、上側ガイド体５０と下側ガイド体５２と、これらの内表面上を転動するベアリングＢを有する形態について説明しているが、上側ガイド体５０、下側ガイド体５２、ベアリングＢの構成を省略したより簡素な形態を採用することもできる。
【００４３】
さらにまた、スライド困難部形成体４０は、２枚の平行な板材２２，２２の延長方向における中途部分の外側から２枚の平行な板材２２，２２に対して接離動可能な押圧ロッド４２と、押圧ロッド４２の筐体１０の外側端部に取り付けられたハンドル４４と、押圧ロッド４２の筐体１０の内側端部に取り付けられた当接部４６とを有しているが、押圧ロッド４２をねじに変更してハンドル４４によりねじを回転させて、筐体１０の内部側におけるねじの先端に連結した当接部４６を２枚の平行な板材２２，２２の側面から接離動させる構成を採用することもできる。
【００４４】
また、以上の実施形態においては、２枚の平行な板材２２，２２の対向面にウレタンを塗布または取り付けした形態について説明したが、２枚の平行な板材２２，２２の対向面にフェルト生地を貼付することによってもウレタンと同様の効果を得ることができる。
【００４５】
そして以上に説明した実施形態や各種変形例を適宜組み合わせた刃物取り扱い体感装置１００の構成を採用することも可能である。
【符号の説明】
【００４６】
１０  筐体，
１２  車輪，１４  ストッパ，１６  フレーム体，１８  被覆板，１８Ａ  スリット体，
２０  通路体，
２２  板材，２４  スペーサ，２６  スライド困難部，
３０  移動体，
３２  保持部，３４  スライド体，３６  ねじ，３８  ねじ，
４０  スライド困難部形成体，
４２  押圧ロッド，４４  ハンドル，４６  当接部，
５０  上側ガイド体，５２  下側ガイド体，
１００  刃物取り扱い体感装置，
Ｂ  ベアリング
【図１】
0003214360.tif 000003
【図２】
0003214360.tif 000004
【図３】
0003214360.tif 000005
【図４】
0003214360.tif 000006
【図５】
0003214360.tif 000007
【図６】
0003214360.tif 000008